(57)【要約】      （修正有）【課題】会員制のＢtoＢ取引の利用者が自己用の宣伝チラシ等を作成することを支援するシステムを提供する。【解決手段】インターネットを利用した会員制のＢtoＢ取引において利用する商品に関するデータベースに、商品に関する説明、商品画像、定価（標準価格）、品番、商品名、紐付けコード等の項目を準備しておき、広告チラシ作成援助を希望する会員には、簡易チラシ作成トップ頁が使用法の説明付きで開かれ、チラシ作成希望者の選択するジャンルの選択を待つか、ＢtoＢ取引での注文の商品に合うジャンルを推薦し、そのジャンル内から広告チラシに掲載する商品を確定し、商店名ロゴまたは標準字体表示、特別定価、企業独自の特記事項等の指示、チラシ希望枚数等の必要事項の入力をチラシ標準パターンに組み入れ、広告チラシ希望者の端末にその内容を表示して確認を受け、広告チラシ希望者のプリンタで印刷することを特徴とする。【選択図】        なし【特許請求の範囲】
【請求項１】
インターネットを利用した会員制のＢ  ｔｏ  Ｂ取引において利用する商品に関するデータベースに、商品に関する説明、商品画像、定価（標準価格）、品番、商品名、紐付けコード等の項目を準備しておき、広告チラシ作成援助を希望する会員には、簡易チラシ作成トップ頁が使用法の説明付きで開かれ、チラシ作成希望者の選択するジャンルの選択を待つか、Ｂ  ｔｏ  Ｂ取引での注文の商品に合うジャンルを推薦し、そのジャンル内から広告チラシに掲載する商品を確定し、商店名ロゴまたは標準字体表示、特別定価、企業独自の特記事項等の指示、チラシ希望枚数等の必要事項の入力をチラシ標準パターンに組み入れ、広告チラシ希望者の端末にその内容を表示して確認を受け、広告チラシ希望者のプリンタで印刷することを特徴とするチラシ作成顧客支援方式。
【請求項２】
広告チラシの希望枚数が多い場合には、広告チラシ希望者のプリンタで印刷することに替えて、提携印刷所にチラシデータを送信して、印刷後広告チラシ希望者に完成チラシを送付する請求項１に記載のチラシ作成顧客支援方式。
【発明の詳細な説明】
【０００１】
【発明の属する技術分野】
本発明は、インターネットを利用したＢ  ｔｏ  Ｂ取引に付加する顧客支援方式に関する。
【０００２】
【従来の技術】
インターネットの普及・隆盛にともない、企業間の取引にインターネットが利用されることが多くなっている。そこでは、会員制のメンバー間で商品等の受発注がインターネット上で行われる場合には、商品名毎に単価を確認の上、注文数量を入力するだけで受発注が完了するシステムが多い。
本発明者は、先にＢ  ｔｏ  Ｂ取引において受発注にともなって発生するデータを、購入側でその後に必要な書類等の作成のためのデータとして移し替え転用できるようにするネットワークによる顧客支援方式を提案した（特許文献１参照）。
【０００３】
インターネットを利用するシステムは益々発展している。そして、Ｂ  ｔｏ  Ｂ取引における会員制の顧客の要望の中には、注文・購入した商品の販売用のチラシの作製・印刷が簡易に行えるように、というものがある。
インターネットを利用した各種のサービスの中には、共同チラシ広告作成システムに関するものもある（特許文献２参照）。そこでは、同一紙面上に複数の依頼者の広告内容を掲載して配布する共同チラシ広告を効果的に作成する際に適用して好適な共同チラシ広告作成システムであって、ユーザ端末から通信ネットワークを介して送られてくる、チラシ作成条件を含む依頼情報を受信して、配布時期・配布地域毎にチラシ紙面の割付を行うシステムとなっている。
【０００４】
【特許文献１】
特開２００２−３１２６４７号公報
【特許文献２】
特開２００２−４２１４４号公報
【０００５】
【発明が解決しようとする課題】
共同広告チラシではなく、個々の販売者による特定商品群のチラシとするためには、依頼者が広告内容をその都度作成するのでは、負担が多すぎる場合があり、商品のスペックなり、特徴点などが広告主となる者の注文・発注時のデータから手軽に転用することができれば、簡便に頻繁に必要な広告チラシを利用できるようになる。
本発明は、Ｂ  ｔｏ  Ｂ取引において受発注に際して利用するデータベースに、商品の特徴や、再販売の際の希望価格等のデータを用意しておき、受発注にともなって発生するデータをも参照して、Ｂ  ｔｏ  Ｂ取引の発注者だけの広告チラシを作成することを支援する新たなシステムを提供することを課題とする。
【０００６】
【課題を解決するための手段】
本発明のチラシ作成顧客支援方式は、上記の課題を解決するために、インターネットを利用した会員制のＢ  ｔｏ  Ｂ取引において利用する商品に関するデータベースに、商品に関する説明、商品画像、定価（標準価格）、品番、商品名、紐付けコード等の項目を準備しておき、広告チラシ作成援助を希望する会員には、簡易チラシ作成トップ頁が使用法の説明付きで開かれ、チラシ作成希望者の選択するジャンルの選択を待つか、Ｂ  ｔｏ  Ｂ取引での注文の商品に合うジャンルを推薦し、そのジャンル内から広告チラシに掲載する商品を確定し、商店名ロゴまたは標準字体表示、特別定価、企業独自の特記事項等の指示、チラシ希望枚数等の必要事項の入力をチラシ標準パターンに組み入れ、広告チラシ希望者の端末にその内容を表示して確認を受け、広告チラシ希望者のプリンタで印刷することを特徴とする。広告チラシの希望枚数が多い場合には、広告チラシ希望者のプリンタで印刷することに替えて、提携印刷所にチラシデータを送信して、印刷後広告チラシ希望者に完成チラシを送付するようにすることができる。
【０００７】
【発明の実施の形態】
本発明は、比較的零細ないし中小の企業であって、個々には広告チラシ等を作成する部局を常時備えることの難しい会員制のＢ  ｔｏ  Ｂ取引の会員企業（商店）に、必要最小限の希望データの入力だけで商品購入者への訴求力のある広告チラシを簡便に準備できるように、チラシ作成顧客支援方式を提供することを基本とする。
購買者（顧客）に訴求力のある広告チラシを準備すること、すなわち、レイアウト、配色、掲載商品の選定、等につき、専門の担当を置くのであればともかく日常的な業務の片手間で行うのはそれ程簡単なことではない。
【０００８】
以下では、購入企業側が上下水道・配管工事等を行う水道・設備工事店を想定して説明するが、本発明は、利用対象をこれに限るものではない。
特許文献１で提案したインターネットを利用したＢ  ｔｏ  Ｂ取引は、通常販売側のホームページ上で行われる。ホームページには、商品情報や新製品の紹介、業界の動向等、各種の情報が提供され、その一つのサイトとして、受発注用のフォームが表示されるものであった。これらの情報は、Ｂ  ｔｏ  Ｂ取引を通じて商品を購入する購入企業・個人（以下、第１次購入企業という）に商品を販売する企業・個人（以下、ＨＰ企業という）が第１次購入企業のために提供する情報であった。
【０００９】
水道・設備工事店として想定された第１次購入企業は、購入した商品を個人または企業のために最終設備として設置工事等を行う。この場合、通常は最終工事のための設備としていくつかの仕様の商品の中から選択されて、用いる商品が最終決定される。
商品を最終的に選択決定するのは、最終需要者であるか、建売住宅あるいはマンション等の建設・売出業者（以下、総括して最終需要者という）であることが多い。したがって第１次購入企業は、最終需要者に商品を宣伝する必要があり、そのためのチラシ等を準備する。
【００１０】
そのチラシのレイアウト等を簡易に設計し、最終需要者に向けた商品情報を提供し、チラシの必要枚数が比較的少ない場合には、チラシのバーチャル版下を第１次購入企業のパソコン等の端末に送付して第１次購入企業の有するプリンタで印刷することができるようにする、あるいは、チラシの必要枚数が比較的多い場合ないし第１次購入企業が希望する場合には、提携印刷機関に発注してチラシを印刷させ、第１次購入企業に送付させる、等により、チラシ作成を支援するものである。
具体的には、以下のような手順となる。
ＨＰ企業のＷｅｂ上に、チラシ作成支援機能の選択マークが準備されている。
それをクリックすることにより、チラシ作成支援機能の使用方法の説明が表示される。その案内にしたがって希望するマークをクリックすることによって、順次作業が進行する。
【００１１】
初めに、チラシに載せる商品のジャンルを選択する。ジャンルとしては、例えば、“キッチンまわりの提案”・“浴室まわりの提案”・“トイレまわりの提案”・“生活改善の提案”等、適宜のものとする。場合によっては、“自由設定”のようなものも準備しておき、例えば水回りの統一イメージを提案する企画や、ジャンルに拘わらないディスカウント特別企画等にも対応できるようにすることもできる。
ジャンルを選択すると、そのジャンルに含まれる商品一覧が表示される。第１次購入者は、その中から、チラシに掲載を希望する商品を選択する。掲載する商品は、その時にＢ  ｔｏ  Ｂ取引で購入注文するものでも良いし、既に手当して在庫として保有しているものでも良い。
【００１２】
商品が選択されると、その商品のイメージ（写真等）とその商品の最終需要者へ伝えるべき商品情報（仕様・特徴・他との差異情報・標準売価等）が予め用意されているデータベースから選定されて表示される。イメージ・商品情報も、標準的なセットだけでなく、適宜選択できるように複数表示するようにすることもできる。
売価に関しては、第１次購入企業の希望によって、特別価格とすることができるようにすることも好ましい態様である。
特に掲載したい、ＨＰ企業の取扱商品以外の商品がある場合には、その商品のイメージや商品情報を別途入力することもできるようにすることの好ましい態様である。
【００１３】
チラシに掲載される商品数に応じて、チラシの推奨レイアウトに割り付けられる。チラシ上での商品を掲載する位置は、標準のままを採用することもできるし、第１次購入企業の希望によって位置決めすることができるようにしても良い。
第１次購入企業（チラシ配布者）の企業名（所在地・電話番号・ＦＡＸ番号・メールアドレス・地図等の必要事項を含む）等は、特別のロゴとして、会員登録するときに事前に登録しておくこともできるし、書体を指定して標準フォント体でその場で構成させても良い。勿論、ロゴ等は適宜修正・変更できるようにしておく。
【００１４】
これらの作業は、第１次購入企業側のパソコン端末等の表示端末で確認しながら遂行できるようにする。
チラシへの掲載商品の数と内容・レイアウト等を画面で確認し、バーチャル版下ができあがったら、第１次購入企業側のプリンタで出力するか、印刷完成品として送付を受けるかを選択・指定する。後者の場合には、印刷必要枚数も入力する。その指定にしたがって、バーチャル版下をプリンタ出力可能な形で第１次購入企業側の端末に伝送するか、提携印刷機関に送付し、印刷指示・印刷されたチラシの送付先・等の必要情報を伝送する。
情報の最終伝送に際して、請求書等の必要付加書類を添付することもできる。最も、第１次購入企業側のプリンタ出力の場合には、支援サービスとして無料とすることも差し支えない。
【００１５】
チラシの最終データは、必要があれば、ＨＰ企業のデータベースとして保管することもできる。保管することによって、第１次購入企業の次回のチラシ作成のための参考情報として再利用することが容易になる。その場合、チラシ全体の画像情報として保管しても良いが、選択商品・チラシ上の表示位置・構成日等の各要素情報として保管し、必要に応じてチラシの形に構成させることができるようにしても良い。
【００１６】
【発明の効果】
本発明によれば、専従の宣伝・広報担当者のいない小企業・個人にも、必要なときに必要な枚数のチラシが簡便・容易に、見栄え良く作成することができる。